(57)【要約】【課題】高品質のランプユニットを提供する。【解決手段】実施形態によれば、第１ランプと、第２ランプと、を含むランプユニットが提供される。第１ランプは、第１方向に延びる第１管と、第１管の第１方向に沿う第１側面に設けられた第１突出部と、を有する。第２ランプは、第１方向に延びる第２管と、第２管の第１方向に沿う第２側面に設けられた第２突出部と、を有する。前記第１突出部は、第１隆起部と、前記第１隆起部よりも曲率が小さい頂部と、を有する。前記第２突出部は、第２隆起部と、前記第２隆起部よりも曲率が小さい頂部と、を有する。【選択図】図１
2015050139.tif 000002
【特許請求の範囲】
【請求項１】
第１方向に延びる第１管と、前記第１管の前記第１方向に沿う第１側面に設けられた第１突出部と、を有する第１ランプと、
前記第１方向に延びる第２管と、前記第２管の前記第１方向に沿う第２側面に設けられた第２突出部と、を有する第２ランプと、
を備え、
前記第１突出部は、第１隆起部と、前記第１隆起部よりも曲率が小さい頂部と、を有し、
前記第２突出部は、第２隆起部と、前記第２隆起部よりも曲率が小さい頂部と、を有するランプユニット。
【請求項２】
第１方向に延びる第１管と、前記第１管の前記第１方向に沿う第１側面に設けられた第１突出部と、を有する第１ランプと、
前記第１方向に延びる第２管と、前記第２管の前記第１方向に沿う第２側面に設けられた第２突出部と、を有する第２ランプと、
を備え、
前記第１突出部の前記第１方向に沿う位置は、前記第２突出部の前記第１方向に沿う位置とは異なり、
前記第１突出部は、第１隆起部と、前記第１隆起部よりも曲率が小さい頂部と、を有し、
前記第２突出部は、第２隆起部と、前記第２隆起部よりも曲率が小さい頂部と、を有するランプユニット。
【発明の詳細な説明】
【技術分野】
【０００１】
本発明の実施形態は、ランプユニットに関する。
【背景技術】
【０００２】
例えば、複写機のトナー定着用熱源として、ハロゲンランプを用いたランプユニットが用いられる。ランプユニットにおいて、例えば、複数のランプを組み合わせて用いられることがある。ランプの側面にチッピング部（突出部）が設けられる場合、複数のランプどうしにおいて、このチップが他のランプに接触し不具合が生じることがある。
【先行技術文献】
【特許文献】
【０００３】
【特許文献１】特開２００５−３２５５２号公報
【発明の概要】
【発明が解決しようとする課題】
【０００４】
本発明の実施形態は、高品質のランプユニットを提供する。
【課題を解決するための手段】
【０００５】
本発明の実施形態によれば、第１ランプと、第２ランプと、を含むランプユニットが提供される。前記第１ランプは、第１方向に延びる第１管と、前記第１管の前記第１方向に沿う第１側面に設けられた第１突出部と、を有する。前記第２ランプは、前記第１方向に延びる第２管と、前記第２管の前記第１方向に沿う第２側面に設けられた第２突出部と、を有する。前記第１突出部は、第１隆起部と、前記第１隆起部よりも曲率が小さい頂部と、を有する。前記第２突出部は、第２隆起部と、前記第２隆起部よりも曲率が小さい頂部と、を有する。
【発明の効果】
【０００６】
本発明の実施形態によれば、高品質のランプユニットを提供できる。
【図面の簡単な説明】
【０００７】
【図１】実施形態に係るランプユニットを例示する模式的斜視図である。
【図２】図２（ａ）及び図２（ｂ）は、実施形態に係るランプユニットを例示する模式的側面図である。
【図３】図３（ａ）及び図３（ｂ）は、実施形態に係るランプユニットを例示する模式的側面図である。
【図４】実施形態に係るランプユニットを例示する模式的側面図である。
【図５】図５（ａ）〜図５（ｊ）は、実施形態に係るランプユニットを例示する模式的側面図である。
【発明を実施するための形態】
【０００８】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００９】
（実施形態）
図１は、実施形態に係るランプユニットを例示する模式的斜視図である。  
図１に表したように、本実施形態に係るランプユニット１１０は、第１ランプ１０と、第２ランプ２０と、を含む。
【００１０】
第１ランプ１０及び第２ランプ２０は、第１方向に延びる棒状である。第１方向をＺ軸方向とする。Ｚ軸方向に対して垂直な１つの軸をＸ軸方向とする。Ｚ軸方向とＸ軸方向とに対して垂直な方向をＹ軸方向とする。
【００１１】
第１ランプ１０のＺ軸方向の長さは、Ｘ軸方向の長さ（幅）及びＹ軸方向の長さ（幅）よりも長い。第２ランプ２０のＺ軸方向の長さは、Ｘ軸方向の長さ（幅）及びＹ軸方向の長さ（幅）よりも長い。
【００１２】
第１ランプ１０及び第２ランプ２０は、例えばハロゲンランプである。ランプユニット１１０は、例えば、複写機のトナー定着用の熱源として用いられる。ランプユニット１１０は、例えば、トナー定着用のローラー（図１では図示しない）の中に格納されて使用される。
【００１３】
第１ランプ１０は、第１管１１と、第１突出部１２と、を含む。第１管１１は、第１方向に延びる。第１管１１は、第１方向に延びる第１側面１１ｓを有している。第１突出部１２は、第１側面１１ｓに設けられている。第１ランプ１０は、第１管１１の一端に設けられた第１端子１３と、第１管１１の他端に設けられた第２端子１４と、をさらに含んでも良い。第１端子１３及び第２端子１４は、例えば、口金、または、金属端子である。
【００１４】
第２ランプ２０は、第２管２１と、第２突出部２２と、を含む。第２管２１は、第１方向に延びる。第２管２１は、第１方向に延びる第２側面２１ｓを有している。第２突出部２２は、第２側面２１ｓに設けられている。第２ランプ２０は、第２管２１の一端に設けられた第３端子２３と、第２管２１の他端に設けられた第４端子２４と、をさらに含んでも良い。第３端子２３及び第４端子２４は、例えば、口金、または、金属端子である。
【００１５】
第１突出部１２及び第２突出部２２は、第１管１１及び第２管２１を製造する際に、管内部のガスを排気したり、管内部にガスを封入するための排気管（図示しない）を焼き切った、チッピング部（排気痕）である。
【００１６】
第１ランプ１０及び第１ランプ２０のそれぞれは、例えば、第１方向を軸にして回転可能である。
【００１７】
例えば、第１方向（Ｚ軸方向）に対して垂直な切断面（Ｘ−Ｙ平面）で切断したときの第１管１１の中心１１ｃを通り、第１方向に対して平行な軸を第１軸１８とする。第１ランプ１０は、第１軸１８を軸として回転可能である。すなわち、第１突出部１２は、第１軸１８を軸として回転可能である。
【００１８】
一方、第２方向（Ｚ軸方向）に対して垂直な切断面（Ｘ−Ｙ平面）で切断したときの第２管２１の中心２１ｃを通り、第１方向に対して平行な軸を第２軸２８とする。第２ランプ２０は、第２軸２８を軸として回転可能である。すなわち、第２突出部２２は、第２軸２８を軸として回転可能である。
【００１９】
ランプユニット１１０について、さらに説明する。  
図２（ａ）及び図２（ｂ）は、実施形態に係るランプユニットを例示する模式的側面図である。  
図３（ａ）及び図３（ｂ）は、実施形態に係るランプユニットを例示する模式的側面図である。  
図３（ａ）は、図２（ａ）における領域Ａ１の拡大図である。図３（ｂ）は、図２（ｂ）における領域Ａ２の拡大図である。
【００２０】
図２（ａ）及び図３（ａ）に表したように、第１突出部１２は、第１隆起部１２ｐと、第１頂部１２ｔと、を有する。第１頂部１２ｔは、第１隆起部１２ｐよりも曲率が低い。  図２（ｂ）及び、図３（ｂ）に表したように、第２突出部２２は、第２隆起部２２ｐと、第２頂部２２ｔと、を有する。第２頂部２２ｔは、第２隆起部２２ｐよりも曲率が低い。
【００２１】
ランプユニット１１０において、複数のランプ（例えば、第１ランプ１０及び第２ランプ２０）が設けられる際に、例えば、第１ランプ１０のチッピング部（第１突出部１２）と第２ランプ２０の発光管（第２管２１）とは、例えば、近接して配置される。
【００２２】
このように、複数のランプが近接して配置されるランプユニットの使用中においては、ランプからの熱の影響で、例えば、発光管（第１管１１、第２管２１）が変形（例えば膨張）し、第１ランプ１０と第２ランプとが互いに接触する場合がある。このとき、チッピング部（例えば、第１突出部１２）の頂部（例えば、第１頂部１２ｔ）が、例えば鋭利な形状であると、チッピング部と発光管とが接触したときに、発光管に接触痕がつく場合がある。この接触痕によって、発光管にクラックが生じ、ランプが破損する場合がある。
【００２３】
ランプユニット１１０では、第１突出部１２の第１頂部１２ｔ及び第２突出部２２の第２頂部２２ｔは、それぞれ、曲率が低い。すなわち、第１頂部１２ｔ及び第２頂部２２ｔは、なだらかな形状を有している。そのため、ランプユニット１１０においては、例えば、第１突出部１２と第２管２１と、または、第２突出部２２と第１管１１と、が接触した場合であっても、第１管１１または第２管２１にクラックが生じることを抑制できる。高品質なランプユニットを提供できる。
【００２４】
図４は、実施形態に係るランプユニットを例示する模式的側面図である。  
図４では、ランプユニット１１０の頂部（第１頂部１２ｔ、第２頂部２２ｔ）の形成方法の例を表している。
【００２５】
図４に表したように、ランプユニット１１０において、例えば、チッピング部（例えば、第１突出部１２）を焼き切った直後に、冶具５０などでチッピング部を押さえつける。これにより、第１隆起部１２ｐよりも低い曲率を有する第１頂部１２ｔが形成される。第２突出部２２についても同様に形成することができる。
【００２６】
図５（ａ）〜図５（ｆ）は、実施形態に係るランプユニットを例示する模式的側面図である。  
図５（ａ）〜図５（ｆ）では、突出部（頂部）の形状の変形例を表している。
【００２７】
図５（ａ）に表した例では、第１隆起部１２ｐは全体的に凹んでいる。図５（ｂ）に表した例では、第１隆起部１２ｐは、一方が凹んでいて、他方が凸になっている。図５（ｃ）に表した例では、第１隆起部１２ｐは、一方が略平坦であるが、第１頂部１２ｔの曲率よりも低い。また、第１隆起部１２ｐの他方は凹んでいる。図５（ｄ）に表した例では、第１隆起部１２ｐは一方が凸になっていて、他方が略平坦であるが、第１頂部１２ｔの曲率よりも低い。図５（ｅ）に表した例では、第１頂部１２は第１管１１の第１側面１１ｓと角度をなしており（平行ではない）、第１頂部１２は第１隆起部１２ｐよりも曲率が低い。図５（ｆ）に表した例では、第１頂部１２は曲面であるが、第１隆起部１２ｐよりも曲率が低い。
【００２８】
図５（ａ）〜図５（ｆ）に表したように、第１頂部１２ｔの曲率は、第１隆起部１２ｐよりも低い。第２突出部２２についても、図５（ａ）〜図５（ｆ）に関して説明した第１突出部１２の構成を適用することができる。
【００２９】
実施形態によれば、高品質なランプユニットが提供できる。
【００３０】
なお、本願明細書において、「垂直」及び「平行」は、厳密な垂直及び厳密な平行だけではなく、例えば製造工程におけるばらつきなどを含むものであり、実質的に垂直及び実質的に平行であれば良い。
【００３１】
以上、具体例を参照しつつ、本発明の実施の形態について説明した。しかし、本発明は、これらの具体例に限定されるものではない。例えば、ランプユニットに含まれる第１管、第１突出部、第１隆起部、第１頂部、第２管、第２突出部、第２隆起部、第２頂部及び端子などの各要素の具体的な構成に関しては、当業者が公知の範囲から適宜選択することにより本発明を同様に実施し、同様の効果を得ることができる限り、本発明の範囲に包含される。
【００３２】
また、各具体例のいずれか２つ以上の要素を技術的に可能な範囲で組み合わせたものも、本発明の要旨を包含する限り本発明の範囲に含まれる。
【００３３】
その他、本発明の実施の形態として上述したランプユニットを基にして、当業者が適宜設計変更して実施し得る全てのランプユニットも、本発明の要旨を包含する限り、本発明の範囲に属する。
【００３４】
その他、本発明の思想の範疇において、当業者であれば、各種の変更例及び修正例に想到し得るものであり、それら変更例及び修正例についても本発明の範囲に属するものと了解される。
【００３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
１０…第１ランプ、  １１…第１管、  １１ｃ…中心、  １１ｓ…第１側面、  １２…第１突出部、  １２ｐ…第１隆起部、  １２ｔ…第１頂部、  １３…第１端子、  １４…第２端子、  １８…第１軸、  ２０…第２ランプ、  ２１…第２管、  ２１ｃ…中心、  ２１ｓ…第２側面、  ２２…第２突出部、  ２２ｐ…第２隆起部、  ２２ｔ…第２頂部、  ２３…第３端子、  ２４…第４端子、  ２８…第２軸、  ５０…冶具、  １１０…ランプユニット
【図１】
2015050139.tif 000003
【図２】
2015050139.tif 000004
【図３】
2015050139.tif 000005
【図４】
2015050139.tif 000006
【図５】
2015050139.tif 000007